(57)【要約】【課題】カバーに装着されたスライド補助カバーを専用のロック解除治具なしで簡単に取り外すことができる電気接続箱を提供する。【解決手段】下カバー１５にワイヤーハーネスが挿入されるハーネス用切欠部１７を設け、このハーネス用切欠部１７にスライドにより装着されるスライド補助カバー１９を設け、このスライド補助カバー１９によりワイヤーハーネス以外のハーネス用切欠部１７のスペースを閉塞する電気接続箱において、スライド補助カバー１９を下カバー１５に固定するロック手段４０を設け、このロック手段４０は、下カバー１５に設けられた一対のカバー側係止部４１，４１と、スライド補助カバー１９に設けられた一対の補助カバー側被係止部４２，４２と、この補助カバー側係止部４２をロック解除位置に変移し、且つ、下カバー１５の外側露出位置に設けた一対のロック解除部４３ａ，４３ｂとを備えた。【選択図】　　　図９
2004064881.tif 000002
【特許請求の範囲】
【請求項１】
カバーにワイヤーハーネスが挿入されるハーネス用切欠部を設け、このハーネス用切欠部にスライドにより装着されるスライド補助カバーを設け、このスライド補助カバーにより前記ワイヤーハーネス以外の前記ハーネス用切欠部のスペースを閉塞するようにした電気接続箱において、
前記スライド補助カバーを前記カバーに係止・離脱自在にするロック手段を設け、このロック手段のロック解除部を前記カバーの外側露出位置に設けたことを特徴とする電気接続箱。
【請求項２】
請求項１記載の電気接続箱であって、
前記ロック手段は、前記カバーに設けられたカバー側係止部と、前記スライド補助カバーに設けられた補助カバー側被係止部と、この補助カバー側係止部をロック解除位置に変移させる前記ロック解除部とを備え、障害物側のロック解除部を長寸法に設けたことを特徴とする電気接続箱。
【請求項３】
請求項２記載の電気接続箱であって、
前記長寸法に設けられたロック解除部は、前記カバー側係止部より前記補助カバー側被係止部が外れるロック解除位置まで変移されると、前記障害物に当接する寸法に設定されていることを特徴とする電気接続箱。
【請求項４】
請求項１又は請求項２記載の電気接続箱であって、
前記カバーにハーネス用切欠部に沿って半筒状のハーネス保護壁が突設され、前記スライド補助カバーにそのスライド先端側に半筒状のハーネス保護壁が突設され、この双方のハーネス保護壁の突き合わせ面の左右の外周箇所に前記ロック手段が設けられたことを特徴とする電気接続箱。
【発明の詳細な説明】
【０００１】
【発明の属する技術分野】
本発明は、電気接続箱に関し、特に、接続箱本体を収容するカバー内にワイヤーハーネスを引き込む箇所の防水技術に係わる。
【０００２】
【従来の技術】
電気接続箱は、例えば車両のエンジンルーム内のように防水対策が必要な場所に配置されるものもあり、かかる場所に配置される電気接続箱の従来例が図１１及び図１２に示されている。この電気接続箱１は、合成樹脂製の略方形状の防水カバー（カバー）２と、この防水カバー２の内部に収容された図示しない接続箱本体とから主に構成されている。
【０００３】
防水カバー２は、図示しない車体に固定され、その上面が全体的に開口された方形状の下カバー４と、この下カバー４の上面開口を覆い、且つ、下カバー４に着脱自在に設けられた上カバー５とから構成されている。下カバー４には、上端に開口されたハーネス用切欠部６が形成されており、このハーネス用切欠部６の下端には半円筒状のハーネス下保護壁７が突設されている。ハーネス用切欠部６の左右のスライド端面に沿ってスライド補助カバー８がスライド自在に設けられている。
【０００４】
スライド補助カバー８は、ワイヤーハーネスＷＨが挿入されたハーネス用切欠部６内のハーネス収容スペース以外を閉塞するプレート部８ａと、このプレート部８ａの下端に一体的に突設された半円筒状のハーネス上保護壁８ｂとから構成されている。また、ハーネス用切欠部６のスライド端面とスライド補助カバー８の係合端面とに図示しないロック手段が設けられている。つまり、ロック手段はスライド補助カバー８のロック状態にあっては外部より見えない場所にある。
【０００５】
上記構成において、下カバー４のスライド用切欠部６にワイヤーハーネスＷＨを挿入し、次に、スライド補助カバー８の下端をハーネス用切欠部６の開口部分に合わせて下方にスライドさせると、スライド補助カバー８がスライド用切欠部６内にスライド挿入され、ハーネス上保護壁８ｂがハーネス下保護壁７に突き当たる位置までスライドされる。これにより、ロック手段がロック状態になる。
【０００６】
この電気接続箱１によれば、ワイヤーハーネスＷＨ等よりスライド補助カバー８に引き抜き方向の外力が作用してもロック手段のロック力によりスライド補助カバー８がスライド変移しないため、ワイヤーハーネスＷＨを引き込むカバー２箇所の防水が確実にできるという利点がある。
【０００７】
【発明が解決しようとする課題】
ところで、前記従来の電気接続箱１の保守点検作業の中には、防水カバー２内に引き込まれたワイヤーハーネスＷＨを防水カバー２より取り外して作業を行う必要がある場合もある。しかし、前記従来の電気接続箱１では、スライド補助カバー８と下カバー４間のロック手段が外部から見えない箇所に設けられ、このロック手段を解除するには専用のロック解除治具を使用しなければならずロック解除作業が煩雑であった。特に、スライド補助カバー８が保守点検者の目視し難い場所に配置されている場合に、ロック解除治具の使用自体が困難である場合もある。
【０００８】
そこで、本発明は、前記した課題を解決すべくなされたものであり、カバーに装着されたスライド補助カバーを専用のロック解除治具なしで簡単に取り外すことができる電気接続箱を提供することを目的とする。
【０００９】
【課題を解決するための手段】
請求項１の発明は、カバーにワイヤーハーネスが挿入されるハーネス用切欠部を設け、このハーネス用切欠部にスライドにより装着されるスライド補助カバーを設け、このスライド補助カバーにより前記ワイヤーハーネス以外の前記ハーネス用切欠部のスペースを閉塞するようにした電気接続箱において、前記スライド補助カバーを前記カバーに係止・離脱自在にするロック手段を設け、このロック手段のロック解除部を前記カバーの外側露出位置に設けたことを特徴とする。
【００１０】
この電気接続箱では、保守点検者がロック解除部を指等で操作すると、ロック手段が解除位置に変移される。
【００１１】
請求項２の発明は、請求項１記載の電気接続箱であって、前記ロック手段は、前記カバーに設けられたカバー側係止部と、前記スライド補助カバーに設けられた補助カバー側被係止部と、この補助カバー側係止部をロック解除位置に変移させる前記ロック解除部とを備え、障害物側のロック解除部を長寸法に設けたことを特徴とする。
【００１２】
この電気接続箱では、請求項１の発明の作用に加え、保守点検者が障害物により目視できない位置に配置されたロック解除部が保守点検者の手探りにより探り当て易い。
【００１３】
請求項３の発明は、請求項２記載の電気接続箱であって、前記長寸法に設けられたロック解除部は、前記カバー側係止部より前記補助カバー側被係止部が外れるロック解除位置まで変移されると、前記障害物に当接する寸法に設定されていることを特徴とする。
【００１４】
この電気接続箱では、請求項２の発明の作用に加え、保守点検者がロック解除部を過剰変移させることがない。
【００１５】
請求項４の発明は、請求項１又は請求項２記載の電気接続箱であって、前記カバーにハーネス用切欠部に沿って半筒状のハーネス保護壁が突設され、前記スライド補助カバーにそのスライド先端側に半筒状のハーネス保護壁が突設され、この双方のハーネス保護壁の突き合わせ面の左右の外周箇所に前記ロック手段が設けられたことを特徴とする。
【００１６】
この電気接続箱では、請求項１又は請求項２の発明と同様の作用が得られる。
【００１７】
【発明の実施の形態】
以下、本発明の一実施形態を図面に基づいて説明する。
【００１８】
図１〜図１０は本発明の一実施形態を示し、図１は接続箱本体が防水カバー内の収納位置に配置された電気接続箱の断面図、図２は接続箱本体が防水カバー内より引き出された位置に配置された電気接続箱の断面図、図３は接続箱本体が防水カバーより完全に引き出され、保守点検者の近くまで移動された状態の電気接続箱の断面図、図４は電気接続箱の分解斜視図、図５は接続箱本体の収納状態を示す一部破断の斜視図、図６は接続箱本体の分解斜視図、図７（ａ）は下カバー内におけるワイヤーハーネスの収容状態を示す下カバーの平面図、図７（ｂ）はワイヤーハーネスが固定された状態を示す接続箱本体の引き出し方向の背面図、図８は下カバー内のガイドレール溝とフレームのガイドレールとの係合状態を示す側面図、図９はスライド補助カバーを下カバーのハーネス用切欠部にスライド挿入し、そのスライド途中状態を示す要部の斜視図、図１０はスライド補助カバーを下カバーのハーネス用切欠部にスライド挿入し、スライド完了してロックされた状態を示す要部の斜視図である。
【００１９】
図１〜図３に示すように、電気接続箱１０は、図示しないエンジンルーム内に配置され、この電気接続箱１０の周囲には周辺部品であるカウルトップ１１やリレーボックス１２が配置されている。カウルトップ１１は、電気接続箱１０の上方位置に配置されており、このカウルトップ１１によって後述する接続箱本体１４の引き出し方向の前方が所定寸法に規制されている。リレーボックス１２は、電気接続箱１０の前方で、且つ、電気接続箱１０の上面よりも若干だけ上方に突出しており、このリレーボックス１２と前記カウルトップ１１との間のスペースのみが電気接続箱１０の保守点検に利用できるスペースとなっている。このスペースを介して保守点検者の見る方向が接続箱本体１４への視認方向Ｄとなる。
【００２０】
図４に示すように、電気接続箱１０は、合成樹脂製の略方形状の防水カバー（カバー）１３と、この防水カバー１３の内部に収容された合成樹脂製の接続箱本体１４とから主に構成されている。
【００２１】
防水カバー１３は、図示しない車体に固定され、その上面が全体的に開口された方形状の下カバー１５と、この下カバー１５の上面を覆い、且つ、下カバー１５に着脱自在に設けられた上カバー１６とから構成されている。下カバー１５の２箇所には、上端に開口されたハーネス用切欠部１７がそれぞれ形成されており、この各ハーネス用切欠部１７の下端には半円筒状のハーネス下保護壁（ハーネス保護壁）１８が突設されている。ハーネス用切欠部１７の左右の端面にはスライド係合溝１７ａが形成されており、このスライド係合溝１７ａに係合されることによってスライド補助カバー１９がそれぞれスライド自在に設けられている。
【００２２】
各スライド補助カバー１９は、ワイヤーハーネスＷＨが挿入されたハーネス用切欠部１７内のハーネス収容スペース以外を覆うプレート部１９ａと、このプレート部１９ａの下端に一体的に突設された半円筒状のハーネス上保護壁（ハーネス保護壁）１９ｂとを備えている。これらハーネス下保護壁１８とハーネス上保護壁１９ｂによってほぼ円筒状のハーネス挿入口が形成され、この各ハーネス挿入口よりワイヤーハーネスＷＨの一端側が防水カバー１３内に収容されるようになっている。前後の２箇所のハーネス挿入口は、スライド移動する接続箱本体１４に対してその保守点検面１４ａ側と保守点検面１４ａの反対面側とに位置している。また、スライド補助カバー１９と下カバー１５とには、ハーネス用切欠部１７にスライド挿入されたスライド補助カバー１９を下カバー１５にロックするロック手段４０が設けられている。
【００２３】
下カバー１５の互いに対向する内面側には一対のガイドレール溝２０，２０が設けられており、この一対のガイドレール溝２０，２０は、図８に示すように、垂直方向（上下方向）に延びているストレート溝部２０ａと、その入口側が入口に向かうに従って徐々に幅広になる円弧状のアール溝部２０ｂとを備えている。
また、一対のガイドレール溝２０，２０の内側にはロック用長溝２１がそれぞれ形成されており、この一対のロック用長溝２１，２１の入口近傍には係止突起２１ａが設けられている。
【００２４】
下カバー１５の前方側にはブラケット部２２が突設され、このブラケット部２２を用いて前記リレーボックス１２が固定されている。
【００２５】
図５及び図６に示すように、接続箱本体１４は、偏平直方体形状を有し、その前方側の面が保守点検面１４ａに形成されており、この保守点検面１４ａには多数のヒューズ装着部２３と多数のリレー装着部２４と多数のコネクタ装着部２５とが設けられている。多数のヒューズ装着部２３は、１列に並設されたグループが２箇所に配置され、各列は接続箱本体１４の左右方向に延びている。また、多数のリレー装着部２４は、１列に並設されたグループが２箇所に配置され、各列は接続箱本体１４の左右方向に延びている。
【００２６】
また、保守点検面１４ａの片側の一部には、ヒューズ装着部２３とリレー装着部２４及びコネクタ装着部２５が配置されていない箇所があり、この箇所にハーネスクリップ２６を着脱自在に装着するハーネス固定孔２７が設けられている。
ワイヤーハーネスＷＨは、ハーネスクリップ２６を介して接続箱本体１４に取り付けられ、これによってワイヤーハーネスＷＨの防水カバー１３内での配索経路が規制されている。先ず、ワイヤーハーネスＷＨの大まかな配索経路を説明すると、防水カバー１３内に挿入されたワイヤーハーネスＷＨの内で、接続箱本体１４のコネクタ装着部２５に装着されるワイヤーハーネスＷＨは、図１及び図７（ａ），（ｂ）に示すように、接続箱本体１４の保守点検面１４ａの反対面側に位置するハーネス挿入口から挿入され、接続箱本体１４の保守点検面１４ａの反対側スペースを通って接続箱本体１４の引き出し方向の後面１４ｂ側から接続箱本体１４の保守点検面１４ａ側に導かれ、この保守点検面１４ａ側に導かれたワイヤーハーネスＷＨの先端が各コネクタ装着部２５に接続されている。このように配索されたワイヤーハーネスＷＨをハーネスクリップ２６で接続箱本体１４側に固定することにより、接続箱本体１４の引き出し方向の後面１４ｂ側のワイヤーハーネスＷＨの配索経路を斜め方向に規制し、且つ、このような配索経路で規制することにより接続箱本体１４の保守点検面１４ａの反対側ではハーネス挿入口から挿入されたワイヤーハーネスＷＨを大きく折曲させた状態となる配索経路に規制し、接続箱本体１４の保守点検面１４ａ側ではヒューズ装着部２３の上方を通過しない経路を通って各コネクタ装着部２５まで導く配索経路に規制するようになっている。
【００２７】
図６に示すように、接続箱本体１４の外周側には方形状のフレーム３０が取り付けられている。このフレーム３０の適所には弾性アームロック部３１が設けられ、この各弾性アームロック部３１が接続箱本体１４のロック突起３２に弾性変形で係合されることによって取り付けられている。フレーム３０の左右両側の側面には、下カバー１５の一対のガイドレール溝２０，２０に係合される一対のガイドレール３３，３３が設けられており、この一対のガイドレール３３，３３が一対のガイドレール溝２０，２０に案内されることによって接続箱本体１４が下カバー１５内をスライドし、このスライド移動によって接続箱本体１４が下カバー１５に挿入・引き出し自在に設けられている。このフレーム３０は一対のガイドレール３３，３３が所定の傾斜角αを有するものが使用されている。つまり、一対のガイドレール３３，３３の傾斜が、視認方向Ｄに対して接続箱本体１４の保守点検面１４ａの向きが直交する向きとなるような傾斜角度αに設定されたものであり、接続箱本体１４の保守点検面１４ａは、スライド方向Ｓに対して傾斜角αだけ傾斜した状態で下カバー１５内をスライド移動するようになっている。
【００２８】
また、フレーム３０には、各ガイドレール３３の方向にロック突起３４が設けられ、この一対のロック突起３４，３４が下カバー１５の係止突起２１ａに係止される。これによって、下カバー１５内に収容された接続箱本体１４は下カバー１５にロックされるようになっている。
【００２９】
図９及び図１０に示すように、ロック手段４０は、ハーネス下保護壁１８の突き合わせ面の左右の外周位置に設けられた一対のカバー側係止部４１，４１と、ハーネス上保護壁１９ｂの突き合わせ面の左右の外周位置に設けられた一対の補助カバー側被係止部４２，４２と、この各補助カバー側被係止部４２を弾性撓み変形によりロック解除位置に変移できる一対のロック解除部４３ａ，４３ｂとから構成されている。各カバー側係止部４１は突起形状を有し、各カバー側被係止部４２は突起形状の各バー側係止部４１が係止・離脱される係止孔４２ａを有する。一対のロック解除部４３ａ，４３ｂは、各スライド補助カバー側被係止部４２の下方に延設され、弾性力に抗して互いに離間する方向（図１０の矢印Ｅ１，Ｅ２方向）に移動させることによりロック解除位置に変移されるようになっている。
【００３０】
また、一方のロック解除部４３ａのロック解除方向（図１０のＥ１方向）には、上述したブラケット部２２が配置され、このブラケット部２２は、保守点検者が視認方向Ｄより目視した場合に、一方のロック解除部４３ａを目視できない障害物となっている。そして、障害物のブラケット部２２が配置されたロック解除部４３ａは、他方のロック解除部４３ｂよりも長寸法に設けられており、一方のロック解除部４３ａがカバー側係止部４１にロックされた位置からロック解除される位置まで変移されると、その時点でブラケット部２２に当接する寸法Ｌ１に設定されている。
【００３１】
次に、前記電気接続箱１０におけるヒューズ等の保守点検作業を説明する。図１の状態にあって、保守点検者は、上カバー１６を下カバー１５より取り外し、この下カバー１５に対するロックを解除して接続箱本体１４を下カバー１５内より引き出す。接続箱本体１４は、一対のガイドレール３３，３３が下カバー１５の一対のガイドレール溝２０，２０にガイドされることによってスライド方向Ｓに引き出される。図２に示すように、引き出された接続箱本体１４の保守点検面１４ａは、スライド方向Ｓに対して傾斜角αで傾斜し、保守点検者の視認方向Ｄに対して接続箱本体１４の保守点検面１４ａが直交する方向になっているため、図２に示すように、保守点検者がヒューズの状態確認及びヒューズの交換を容易に行うことができる。また、引き出し状態の接続箱本体１４は、ガイドレール溝２０のアール溝部２０ｂによって接続箱本体１４の向きを可変できるため、保守点検者は作業し易い方向に接続箱本体１４を向けて作業を行うことができる。
【００３２】
次に、リレーや接続箱本体等の交換を行うには、下カバー１５より引き出した接続箱本体１４からハーネスクリップ２６を外し、ワイヤーハーネスＷＨの経路規制を解除してフリー状態にする。ここで、引き出し状態の接続箱本体１４は、前述したようにガイドレール溝２０のアール溝部２０ｂによって接続箱本体１４の向きを可変できるため、保守点検者はハーネスクリップ２６を取り外し易い方向に接続箱本体１４を向けてハーネスクリップ２６の取り外し作業を行える。
【００３３】
次に、引き出し状態の接続箱本体１４を保守点検者側に傾斜させつつ更に下カバー１５から引き出すことにより接続箱本体１４を下カバー１５から完全に取り出す。そして、図３に示すように、下カバー１５から取り出した接続箱本体１４を保守点検者に近い位置まで移動して、複雑な保守点検作業（リレー交換等）を行う。作業が完全に終了すると、前記した逆手順で接続箱本体１４を防水カバー１３内に戻せば完了する。
【００３４】
ところで、上記保守点検作業にあって、ワイヤーハーネスＷＨを防水カバー１３より取り外す場合には、保守点検者が左右のロック解除部４３ａ，４３ｂを指等で操作して互いに外側方向（Ｅ１，Ｅ２方向）に変移させると、一対の補助カバー側被係止部４２，４２が一対のカバー側係止部４１，４１の解除位置に変移し、この状態を保持してスライド補助カバー１９を上方にスライドさせる。これによりスライド補助カバー１９が下カバー１５のハーネス用切欠部１７より取り外され、このスライド補助カバー１９が外されたハーネス用切欠部１７内のワイヤーハーネスＷＨを取り出せば良い。
【００３５】
以上、この電気接続箱１０では、保守点検者がロック解除部４３ａ，４３ｂを指等で操作してロック手段４０をロック解除位置に変移することができるため、下カバー１５に装着されたスライド補助カバー１９を専用のロック解除治具なしで簡単に取り外すことができる。
【００３６】
また、ロック手段４０は、下カバー１５に設けられたカバー側係止部４１と、スライド補助カバー１９に設けられた補助カバー側被係止部４２と、この補助カバー側係止部４２をロック解除位置に変移させるロック解除部４３ａ，４３ｂとを備え、保守点検者側から目視できないブラケット部２２側のロック解除部４３ａを長寸法に設けたので、保守点検者の目視できない方のロック解除部４３ａを保守点検者が手探りで探り当て易いため、ロック解除部４３ａの操作性が良い。
尚、一対のロック解除部４３ａ，４３ｂの双方共に保守点検者から目視できない位置に配置されている場合には、一対のロック解除部４３ａ，４３ｂの双方共に長寸法に設定しても良い。
【００３７】
さらに、長寸法に設けられたロック解除部４３ａは、カバー側係止部４１より補助カバー側被係止部４２が外れるロック解除位置まで変移されると、周囲のブラケット部２２に当接する寸法Ｌ１に設定されているので、保守点検者がロック解除部４３ａを過剰変移させることがないため、保守点検者が目視できない位置に配置されたロック解除部４３ａの破損を確実に防止することができる。
【００３８】
尚、前記実施形態では、接続箱本体１４が防水カバー１３にスライド移動することによって収納・引き出し自在に設けられた電気接続箱１０に本発明が適用されているが、カバー内に接続箱本体１４が単に収容された電気接続箱にも適用できることは勿論である。
【００３９】
【発明の効果】
以上説明したように、請求項１の発明によれば、保守点検者がロック解除部を指等で操作してロック手段をロック解除位置に変移することができるため、カバーに装着されたスライド補助カバーを専用のロック解除治具なしで簡単に取り外すことができる。
【００４０】
請求項２の発明によれば、保守点検者が障害物により目視できない位置に配置されたロック解除部を保守点検者が手探りで探り当て易いため、保守点検者が目視できない位置に配置されたロック解除部の操作性が良くなる。
【００４１】
請求項３の発明によれば、保守点検者がロック解除部を過剰変移させることがないため、保守点検者が障害物により目視できない位置に配置されたロック解除部の破損を確実に防止することができる。
【００４２】
請求項４の発明によれば、カバーにハーネス用切欠部に沿って半筒状のハーネス保護壁を突設し、スライド補助カバーにそのスライド先端側に半筒状のハーネス保護壁を突設し、この双方のハーネス保護壁の突き合わせ面の左右の外周箇所にロック手段を設けたので、請求項１又は請求項２の発明と同様の効果が得られる。
【図面の簡単な説明】
【図１】本発明の一実施形態を示し、接続箱本体が防水カバー内の収納位置に配置された電気接続箱の断面図である。
【図２】本発明の一実施形態を示し、接続箱本体が防水カバー内より引き出された位置に配置された電気接続箱の断面図である。
【図３】本発明の一実施形態を示し、接続箱本体が防水カバーより完全に引き出され、保守点検者の近くまで移動された状態の電気接続箱の断面図である。
【図４】本発明の一実施形態を示し、電気接続箱の分解斜視図である。
【図５】本発明の一実施形態を示し、接続箱本体の収納状態を示す一部破断の斜視図である。
【図６】本発明の一実施形態を示し、接続箱本体の分解斜視図である。
【図７】本発明の一実施形態を示し、（ａ）は下カバー内におけるワイヤーハーネスの収容状態を示す下カバーの平面図、（ｂ）はワイヤーハーネスが固定された状態を示す接続箱本体の引き出し方向の背面図である。
【図８】本発明の一実施形態を示し、下カバー内のガイドレール溝とフレームのガイドレールとの係合状態を示す側面図である。
【図９】本発明の一実施形態を示し、スライド補助カバーを下カバーのハーネス用切欠部にスライド挿入し、そのスライド途中状態を示す要部の斜視図である。
【図１０】本発明の一実施形態を示し、スライド補助カバーを下カバーのハーネス用切欠部にスライド挿入し、スライド完了してロックされた状態を示す要部の斜視図である。
【図１１】従来例を示し、スライド補助カバーを下カバーのハーネス用切欠部にスライド挿入する直前の状態を示す斜視図である。
【図１２】従来例を示し、スライド補助カバーを下カバーのハーネス用切欠部にスライド挿入し、その上から上カバーを被せる状態を示す電気接続箱の斜視図である。
【符号の説明】
１０　電気接続箱
１３　防水カバー（カバー）
１４　接続箱本体
１５　下カバー
１６　上カバー
１７　ハーネス用切欠部
１８　ハーネス下保護壁（ハーネス保護壁）
１９　スライド補助カバー
１９ｂ　ハーネス上保護壁（ハーネス保護壁）
２２　ブラケット部（障害物）
４０　ロック手段
４１　カバー側係止部
４２　補助カバー側被係止部
４３ａ，４３ｂ　ロック解除部
ＷＨ　ワイヤーハーネス
【図１】
2004064881.tif 000003
【図２】
2004064881.tif 000004
【図３】
2004064881.tif 000005
【図４】
2004064881.tif 000006
【図５】
2004064881.tif 000007
【図６】
2004064881.tif 000008
【図７】
2004064881.tif 000009
【図８】
2004064881.tif 000010
【図９】
2004064881.tif 000011
【図１０】
2004064881.tif 000012
【図１１】
2004064881.tif 000013
【図１２】
2004064881.tif 000014